(57)【要約】【課題】部品数を増やさずに防水機能を確保しつつ簡単にレンズの位置を変更することのできる照明器具を提供する。【解決手段】ＬＥＤモジュールユニット５００を内部に備え、照射方向Ｐ側に本体開口部１４０を備える筒状の本体１１０と、本体開口部１４０を塞ぐように本体１１０に取り付けられる茶筒蓋形状のカバー６００であって、茶筒蓋形状の側面部６５０が本体開口部１４０に挿入され、カバー外周面６５２と本体内周面１１３とが当接するように本体１１０に取り付けられるカバー６００とを備え、カバー６００は、カバー外周面６５２に溝部６１３を備え、本体１１０は、本体内周面１１３に突き出した固定部（固定リング１２０）であって、溝部６１３と係合する固定部（固定リング１２０）と、弾性体で形成され、本体内周面１１３に突き出した環状の突出部（Ｏリング１３０）であって、カバー外周面６５２と密着する突出部（Ｏリング１３０）とを備える。【選択図】図２
2012099292.tif 000002
【特許請求の範囲】
【請求項１】
光源を内部に備え、前記光源の照射方向側に開口部を備える筒状の本体と、
前記開口部を塞ぐように前記本体に取り付けられる茶筒蓋形状のカバーであって、茶筒蓋形状の側面部が前記本体の前記開口部に挿入され、前記側面部のカバー外周面と前記本体の本体内周面とが当接するように前記本体に取り付けられるカバーとを備え、
前記カバーは、
前記側面部のカバー外周面に溝部を備え、
前記本体は、
前記開口部と前記光源との間の本体内周面に突き出した固定部であって、前記カバーが前記本体に取り付けられた場合に前記溝部と係合する固定部と、
弾性体で形成され、本体内周面に突き出した環状の突出部であって、前記溝部と前記固定部とが係合した場合に前記カバーのカバー外周面と密着する突出部とを備える
ことを特徴とする照明器具。
【請求項２】
前記溝部は、前記側面部のカバー外周面に環状に形成され、
前記カバーは、前記溝部を複数備え、
前記固定部は、前記本体の本体内周面に環状に形成され、複数の前記溝部のうちのいずれかと係合することを特徴とする請求項１に記載の照明器具。
【請求項３】
前記カバーは、茶筒蓋形状の天面に前記光源の発する光を配光するフレネルレンズを備えることを特徴とする請求項１または２に記載の照明器具。
【請求項４】
前記固定部は、バネ性を有する環状の固定リングと、前記本体の本体内周面に環状に形成され、前記固定リングを伸縮可能に取り付ける固定リング取付溝とを備えることを特徴とする請求項１〜３のいずれかに記載の照明器具。
【請求項５】
前記突出部は、前記固定部と前記開口部との間の本体内周面に取り付けられた環状のＯリングであることを特徴とする請求項１〜４のいずれかに記載の照明器具。
【請求項６】
前記突出部は、前記固定部と前記開口部との間の本体内周面に形成されることを特徴とする請求項１〜５のいずれかに記載の照明器具。
【発明の詳細な説明】
【技術分野】
【０００１】
本発明は、例えば、防水性を確保しつつレンズの位置を変化させることのできる照明器具に関する。
【背景技術】
【０００２】
従来の防水機能を備えた照明器具において配光を変化させる場合、レンズ位置をスペーサーで変化させた後、そのレンズ部分に防水用カバーを被せて照明器具の内部を防水する方法がある（特許文献１参照）。
【先行技術文献】
【特許文献】
【０００３】
【特許文献１】特開２００９−１２３６０１号公報
【発明の概要】
【発明が解決しようとする課題】
【０００４】
従来では、防水構造を確保してレンズ位置を変化させるために、防水用カバーとレンズ移動機構とを別々の構成としている。このため、カバーと内部構造部品など部品点数が多くなるという課題がある。またレンズの位置を変化させる場合に防水カバーを外してから内部機構を用いてレンズの位置を変化させるといった手間がかかり、作業性が劣るという課題がある。
【０００５】
本発明は、上記のような課題を解決するためになされたものであり、部品数を増やさずに防水機能を確保しつつ簡単にレンズの位置を変更することのできる照明器具を提供することを目的とする。
【課題を解決するための手段】
【０００６】
本発明に係る照明器具は、
光源を内部に備え、前記光源の照射方向側に開口部を備える筒状の本体と、
前記開口部を塞ぐように前記本体に取り付けられる茶筒蓋形状のカバーであって、茶筒蓋形状の側面部が前記本体の前記開口部に挿入され、前記側面部のカバー外周面と前記本体の本体内周面とが当接するように前記本体に取り付けられるカバーとを備え、
前記カバーは、
前記側面部のカバー外周面に溝部を備え、
前記本体は、
前記開口部と前記光源との間の本体内周面に突き出した固定部であって、前記カバーが前記本体に取り付けられた場合に前記溝部と係合する固定部と、
弾性体で形成され、本体内周面に突き出した環状の突出部であって、前記溝部と前記固定部とが係合した場合に前記カバーのカバー外周面と密着する突出部とを備える
ことを特徴とする。
【発明の効果】
【０００７】
本発明によれば、部品数を増やすことなく防水性を確保しながらレンズ位置の変更を容易にすることができ、製造コストを低減させるとともに作業性を向上させることができる。
【図面の簡単な説明】
【０００８】
【図１】実施の形態１に係る照明器具１０００を示す図であり、（ａ）は照明器具１０００の分解斜視図、（ｂ）は照明器具１０００を照射方向Ｐ側から見た平面図である。
【図２】実施の形態１に係る照明器具１０００のＡ−Ａ断面図である。
【図３】実施の形態１に係る照明器具１０００の分解図であり、（ａ）は本体取付具３００部分の分解図、（ｂ）は電源部２００部分の分解図、（ｃ）はＬＥＤモジュールユニット５００部分の分解図である。
【図４】実施の形態１に係る照明器具１０００の分解図であり、（ａ）は本体部１００部分の分解図、（ｂ）はカバー６００部分の分解図である。
【図５】（ａ）は図４（ａ）のＢ部拡大図、（ｂ）は、固定リング１２０の平面図である。
【図６】本体１１０とカバー６００との取付状態を示す部分断面図であり、（ａ）は本体１１０にカバーが取り付けられている状態、（ｂ）は本体１１０にカバーが取り付けられる途中の状態を示す部分断面図である。
【図７】（ａ）及び（ｂ）は溝部６１３のＶ溝の開き角度と引き（押し）荷重と固定リング１２０に開き方向へ加わる荷重との関係を示す部分断面図である。
【図８】（ａ）及び（ｂ）はカバーの最終移動状態を示す部分断面図である。
【図９】実施の形態に係る照明器具１０００ａのカバーの変形例（カバー６００ａ）を示す図である。
【発明を実施するための形態】
【０００９】
実施の形態１．
図１は、本実施の形態に係る照明器具１０００を示す図であり、（ａ）は照明器具１０００の分解斜視図、（ｂ）は照明器具１０００を照射方向Ｐ側から見た平面図である。
【００１０】
本実施の形態では、照明器具１０００として、例えば、浴室や屋外等で使用する防水機能を備えた照明器具を想定している。また、本実施の形態の照明器具１０００は、天井面や壁面等の取付面に取り付けられる照明器具である。図１を用いて、本実施の形態の照明器具１０００の全体構成について説明する。
【００１１】
図１（ａ）に示すように、照明器具１０００は、本体部１００と、フランジパッキン４００と、カバー６００とを備える。本体部１００は、内部にＬＥＤ等の光源や、光源を点灯させるための電源部等を収納した筒状の本体１１０を備える。
【００１２】
本体１１０は、光源の照射方向Ｐ側に本体開口部１４０（開口部）を備える。なお、以下において説明の便利のため、光源の照射方向Ｐ側を下方とし、取付面側を上方とする。また、本体１１０の側面の内面（内周面）を本体内周面１１３とする。
【００１３】
カバー６００は、茶筒蓋形状であり、本体開口部１４０を塞ぐように本体１１０に取り付けられる。カバー６００は、茶筒蓋形状の側面部６５０が本体１１０の本体開口部１４０に挿入され、側面部６５０の外周面であるカバー外周面６５２と本体１１０の本体内周面１１３とが当接するように取り付けられる。
【００１４】
また、カバー６００は、茶筒蓋形状の天面部分であるカバー天面部６６０の径Ｌ２が、側面部６５０の径Ｌ１よりも大きく構成されている。カバー天面部６６０において、側面部６５０の径Ｌ１よりも大きい部分をつば部６７０とする。つば部６７０は、本体開口部１４０を形成する開口周縁部に当接する。
【００１５】
カバー６００は、カバー天面部６６０の中央近傍に、光源の光を配光するためのフレネルレンズ６３０を備える。フレネルレンズ６３０を用いた光の配光調整は、主に、光源からの距離を変更することによりなされる。本実施の形態の照明器具１０００は、例えば、防水機能を保持しつつフレネルレンズ６３０と光源との距離を変化させることができる点に特徴がある。
【００１６】
図２は、本実施の形態に係る照明器具１０００のＡ−Ａ断面図である。図３は、本実施の形態に係る照明器具１０００の分解図であり、（ａ）は本体取付具３００部分の分解図、（ｂ）は電源部２００部分の分解図、（ｃ）はＬＥＤモジュールユニット５００部分の分解図である。図４は、本実施の形態に係る照明器具１０００の分解図であり、（ａ）は本体部１００部分の分解図、（ｂ）はカバー６００部分の分解図である。図５（ａ）は、図４（ａ）のＢ部拡大図、図５（ｂ）は、固定リング１２０の平面図である。図２〜図５を用いて、本実施の形態に係る照明器具１０００の構成についてさらに詳しく説明する。
【００１７】
図２に示すように、照明器具１０００は、本体部１００（本体１１０）の内部に、電源部２００と、本体取付具３００と、ＬＥＤモジュールユニット５００とを収納する。電源部２００は、本体部１００の上面側（上方）に取り付けられ、ＬＥＤモジュールユニット５００は電源部２００の下方側に取り付けられる。
【００１８】
図３（ｂ）に示すように、電源部２００は、電源取付板２１０と、電源取付板２１０に取り付けられるＬＥＤ電源ユニット２２０とを備える。ＬＥＤ電源ユニット２２０は、取付ネジ２３０により電源取付板２１０に固着されている。また、電源取付板２１０には、ＬＥＤ電源ユニット２２０と電線で接続される電源端子２４０が取り付けられる。
【００１９】
さらに、電源部２００は、ＬＥＤ電源ユニット２２０のアース部と電気的に接続されるアースネジ２５０と、アースネジ２５０を電源取付板２１０に固定するとともにアース線を固定するナット２６０とを備える。電源取付板２１０は、取付ネジ２７０により本体１１０に取り付けられる。
【００２０】
図２に示すように、本体取付具３００は、天井面（取付面）との間にフランジパッキン４００を介在して取り付けられる。本体取付具３００は、取付板３１０と、取付ネジ３２０と、取付ネジ固定ネジ３３０とを備える（図３（ａ）参照）。
【００２１】
図３（ａ）に示すように、２つの取付ネジ３２０は、それぞれ本体部１００を貫通するように取付板３１０から略垂直方向（上下方向）に立設する筒状のネジであり、取付ネジ固定ネジ３３０により取付板３１０に固定されている。
【００２２】
ただし、取付ネジ３２０は取付ネジ固定ネジ３３０を用いずに取付板３１０に固定される場合もある。この場合は、取付ネジ３２０は長ネジとなっており、取付ネジ３２０を取付板３１０に圧入（カシメ）することにより、取付ネジ３２０が取付板３１０に固定される。
【００２３】
フランジパッキン４００は、本体取付具３００が天井面等の取付面に取り付けられる際、本体取付具３００と取付面とに挟み込まれ、本体取付具３００と取付面との隙間から水が入り込むのを防止する。また、フランジパッキン４００は、照明器具１０００を天井面や壁面等の取付面に取り付ける場合に、本体１１０の上面部（上端部）と取付面との間に挟まれることにより、本体１１０の上面部（上端部）と取付面との隙間から取付面との境界からの水分の侵入を防ぐ。
【００２４】
図２に示すように、ＬＥＤモジュールユニット５００は、本体部１００の下面側（下方）に取り付けられる。また、図３（ｃ）に示すように、ＬＥＤモジュールユニット５００は、ＬＥＤ基板取付板５１０と、ＬＥＤモジュール基板５２０と、反射部材５３０と、透明カバー５４０と、カバー押さえ５５０とを備える。
【００２５】
ＬＥＤモジュールユニット５００は、ＬＥＤ基板取付板５１０と、ＬＥＤ基板取付板５１０に面接触するＬＥＤモジュール基板５２０と、ＬＥＤモジュール基板５２０の一面を覆うように取り付けられ、ＬＥＤモジュール基板５２０が発する光を反射する反射部材５３０とを備える。さらに、ＬＥＤモジュールユニット５００は、反射部材５３０の前面に取り付けられ、ＬＥＤの発する光を透過する透明の透明カバー５４０と、透明カバー５４０の周枠部を押さえるカバー押さえ５５０と、取付ネジにねじ込まれてカバー押さえ５５０を固定するツマミネジ５６０と、ＬＥＤ基板取付板５１０を本体１１０に固定する取付ネジ５７０とを備える。
【００２６】
ＬＥＤモジュール基板５２０は、基板５２１と、基板５２１に実装される複数のＬＥＤパッケージ５２２とを備える。
【００２７】
図２、図４（ａ）に示すように、本体部１００は、筒状をなし、本体内周面１１３（内壁）に、固定リング挿入溝１１１と、固定リング挿入溝１１１よりも浅いＯリング挿入溝１１２を有する。固定リング挿入溝１１１及びＯリング挿入溝１１２は、本体内周面１１３に環状（リング状）に形成された溝であり、固定リング挿入溝１１１の溝の深さより浅い深さの溝をＯリング挿入溝１１２が有する。本体部１００は、本体１１０の固定リング挿入溝１１１に挿入される固定リング１２０と、本体１１０のＯリング挿入溝１１２に挿入されるＯリング１３０とを備える。
【００２８】
Ｏリング挿入溝１１２は、本体開口部１４０の近傍の本体内周面１１３に環状に形成されている。Ｏリング１３０は、シリコンゴム等の柔軟性のある弾性部材により形成された環状（リング状、円形状）のリングである。Ｏリング１３０はパッキンともいう。Ｏリング１３０は、本体内周面１１３に形成された環状のＯリング挿入溝１１２に沿ってＯリング挿入溝１１２に挿入される。
【００２９】
固定リング挿入溝１１１は、Ｏリング挿入溝１１２とＬＥＤモジュールユニット５００（光源）との間の本体内周面１１３に環状に形成されている。固定リング１２０は、バネ部材により形成された環状（リング状、円形状）のリングである。固定リング１２０は、本体内周面１１３に形成された環状の固定リング挿入溝１１１（固定リング取付溝）に沿って固定リング挿入溝１１１（固定リング取付溝）に挿入される。固定リング挿入溝１１１は、固定リング１２０を伸縮可能に取り付ける。
【００３０】
図５は、（ａ）が図４（ａ）のＢ部拡大図であり、（ｂ）が固定リング１２０の平面図である。図５（ａ）に示すように、固定リング挿入溝１１１の溝の深さはＬ５であり、Ｏリング挿入溝１１２の溝の深さはＬ６である。本実施の形態では、固定リング挿入溝１１１の深さＬ５はＯリング挿入溝１１２の深さＬ６よりも深く、Ｌ５＞Ｌ６の関係となるように形成されている。
【００３１】
図５（ａ）は、Ｏリング１３０がＯリング挿入溝１１２に挿入され、固定リング１２０が固定リング挿入溝１１１に挿入されている（取り付けられている）状態を示す断面図である。
【００３２】
Ｏリング１３０は、Ｏリング挿入溝１１２に挿入された状態で、本体内周面１１３からＬ７だけ内側に突出している。
【００３３】
本体１１０は、本体内周面１１３に突き出した環状の突出部を備える。突出部は、弾性体で形成され、後述するカバー６００の溝部と固定部（固定リング１２０）とが係合した場合（すなわち、カバー６００が本体１１０に取り付けられた場合）に、カバー６００のカバー外周面６５２と密着する。つまり、Ｏリング挿入溝１１２に挿入されたＯリング１３０の本体内周面１１３から突出している部分は、突出部の一例である。
【００３４】
Ｏリング１３０の突出部に対して本体１１０の内側から外側に向かう押力Ｔを加えると、弾性体でありかつ柔軟部材であるＯリング１３０はＯリング挿入溝１１２の溝の中に充填される。押力Ｔが荷重されていない状態でも、Ｏリング１３０はＯリング挿入溝１１２の外端部１１２ａに接していることが好ましい。これは、後述するようにカバー外周面６５２によりＯリング１３０に押力Ｔが加わった場合に、Ｏリング１３０がカバー外周面６５２に確実に密着するとともに確実にＯリング挿入溝１１２の溝の中を充填するようにするためである。Ｏリング１３０が、カバー６００が本体１１０に取り付けられた場合にカバー６００のカバー外周面６５２と密着する構成については後述する。
【００３５】
固定リング１２０は、バネ部材の金属等により形成されている。図５（ｂ）に示すように、固定リング１２０はカット部１２１を備える。固定リング１２０は、通常の状態（力が加えられていない状態）の内径をＲ２とすると、内側から外側に向かう押力Ｓを受けることにより、内径がＲ２よりも大きくなるように変形する。また、固定リング１２０は、押力Ｓを解除すると内径がＲ２の円形状に戻る。
【００３６】
固定リング１２０は、固定リング挿入溝１１１に挿入された（取り付けられた）状態で、図５（ａ）に示すように、固定リング外端部１２２が固定リング挿入溝１１１の溝内部に位置し、固定リング内端部１２３は本体内周面１１３よりも内側に位置する。固定リング１２０の略中央部である固定リング中央部１２４の位置は、本体内周面１１３と略同一の位置となる。
【００３７】
また、固定リング外端部１２２と固定リング挿入溝１１１の外端部１１１ａとの間には隙間Ｌ８がある。固定リング１２０に対して押力Ｓが加わると、固定リング１２０が広がって固定リング１２０全体が固定リング挿入溝１１１に収納される。つまり、押力Ｓ荷重状態では、固定リング１２０は、押力Ｓ荷重の固定リング１２０ａ（点線）の状態となる。
【００３８】
押力Ｓ荷重の固定リング１２０ａ（点線）の状態では、固定リング内端部１２３が本体内周面から突出しない状態となる。押力Ｓが加わると固定リング内端部１２３が本体内周面から突出しない状態となるので、後述するように、カバー６００のカバー外周面６５２が本体内周面１１３に当接しながら上下方向に移動することができる。カバー６００の移動方法については後述する。
【００３９】
また、押力Ｓが解除されると、固定リング１２０は、バネ性により、形状が元に戻り、固定リング内端部１２３が本体内周面１１３から内側に突出する。つまり、図５（ａ）に示す固定リング１２０（実線）の状態に戻る。
【００４０】
つまり、固定リング挿入溝１１１は、固定リング１２０を伸縮可能に取り付けることのできる固定リング取付溝である。固定リング１２０を伸縮可能に取り付けるとは、上述したように、押力Ｓが加わると径が広がって固定リング１２０の内径が大きくなり、押力Ｓが解除されると元の状態に戻ることが可能なように固定リング１２０を取り付けることである。
【００４１】
固定リング１２０は、図５（ｂ）に示す固定リング中央部１２４の径Ｒ３と、本体内周面１１３の内径Ｒ１とが略同一となるように形成されるのが好ましい。つまり、Ｒ２＜Ｒ１≒Ｒ３となるように構成するのが好ましい。
【００４２】
固定リング１２０は円形状であるが、端部が切り離されてカット部１２１を有するので広がりに対して追従できる構造となっている。固定リング１２０の材質はバネ材等の弾性体で製造されており、カバー６００の移動時には後述する広がり溝（カバー外周面６５２の溝部６１３）を乗り越えるとともに、カバー外周面６５２の溝部６１３（凹部）では元の形状に戻り、固定リング内端部１２３がカバー６００の溝部６１３にはまる構造となっている。
【００４３】
本体１１０は、本体開口部１４０とＬＥＤモジュールユニット５００（光源）との間の本体内周面１１３に突き出した固定部であって、カバー６００が本体１１０に取り付けられた場合にカバー６００の溝部６１３と係合する固定部を備える。つまり、固定リング挿入溝１１１に取り付けられた固定リング１２０は、固定部の一例である。
【００４４】
図２に示すように、カバー６００は、本体１１０の本体内周面１１３とカバー６００のカバー外周面６５２とが当接するように本体１１０に取り付けられている。カバー６００は、上下方向に移動可能に本体１１０に取り付けられる。
【００４５】
図４（ｂ）に示すように、カバー６００は、カバー本体６１０と、カバー本体６１０の内面に取り付けられるパッキン６２０と、パッキン６２０に接するように取り付けられるフレネルレンズ６３０と、パッキン６２０とフレネルレンズ６３０とをカバー本体６１０に固定するレンズ固定ネジ６４０とを備える。
【００４６】
フレネルレンズ６３０は、ＬＥＤパッケージ５２２が発する光、及び、反射部材５３０が反射する光の配光を制御する機能を有する。カバー本体６１０は、フレネルレンズ６３０の出射面からの光の一部を下面方向に反射する反射面６１１を備える。
【００４７】
カバー６００（カバー本体６１０）は、側面部６５０のカバー外周面６５２に、Ｖ字状に窪んだ３つの溝部６１３（Ｖ溝ともいう）（溝部ａ６１３ａ、溝部ｂ６１３ｂ、溝部ｃ６１３ｃ）を備える。
【００４８】
カバー本体６１０の溝部６１３に固定リング１２０が嵌まり込み、カバー６００の位置決めをするとともにカバーを固定する。このとき、Ｏリング１３０が、カバー本体６１０のカバー外周面６５２とＯリング挿入溝１１２の外端部１１２ａ（底部）との間に挟まれて、Ｏリング１３０が弾性変形してカバー外周面６５２をシールする。つまり、カバー外周面６５２によりＯリング１３０に押力Ｔが加わった場合に、Ｏリング１３０がカバー外周面６５２に確実に密着するとともに確実にＯリング挿入溝１１２の溝の中を充填するようにするので、カバー６００と本体部１００との隙間がなくなるので、雨などの水分が、本体部１００の内部に浸入しない防水構造となる。
【００４９】
図６は、本体１１０とカバー６００との取付状態を示す部分断面図であり、（ａ）は本体１１０にカバーが取り付けられている状態、（ｂ）は本体１１０にカバーが取り付けられる途中の状態を示す部分断面図である。
【００５０】
まず、図６を用いて、照明器具１０００の防水機能の確保について説明する。図６（ａ）に示すように、カバー６００が本体１１０に取り付けられた状態では、本体内周面１１３とカバーのカバー外周面６５２とが当接している。したがって、Ｏリング１３０には押力Ｔが加わる。
【００５１】
上述したように、Ｏリング１３０に押力Ｔが加わると、Ｏリング１３０は、Ｏリング挿入溝１１２の外端部１１２ａ方向に押されてＯリング挿入溝１１２に充填される。また、Ｏリング１３０は、押力Ｔに対する反発力Ｔ１（弾性力）によりカバー外周面６５２に圧接する。Ｏリング１３０は、弾性力のある柔軟部材（例えば、シリコンゴム等）であるので、カバー外周面６５２に密着する。したがって、照明器具１０００では、Ｏリング１３０とカバー外周面６５２とが密着してシールされるとともに、Ｏリング１３０がＯリング挿入溝１１２を充填し、Ｏリング１３０の部分から水分等が照明器具１０００の内部に侵入することを防ぐ。
【００５２】
次に、図６〜図８を用いて、カバー６００の詳細および照明器具１０００におけるカバー６００の可動構造について説明する。カバー６００は手動にて上下方向（光軸方向）へ移動できる構造となっている。カバー６００の位置を上下に変化させることにより、ＬＥＤモジュール基板５２０とフレネルレンズ６３０との距離が変わるので、カバー６００に取付られたフレネルレンズ６３０により、配光を変化させることが可能である。
【００５３】
カバー６００の位置については、カバー６００に設けられた溝部６１３（凹部、Ｖ溝）にて規制可能な構造となっている。
【００５４】
図６（ａ）に示すように、固定リング１２０はカバー外周面６５２の溝部ｃ６１３ｃに嵌り、固定されている。
【００５５】
カバー６００は、上下方向に移動可能となっており、固定する位置はカバー本体６１０に設けられた３つの溝部６１３（溝部ａ６１３ａ、溝部ｂ６１３ｂ、溝部ｃ６１３ｃ）のうちいずれかの溝部６１３に取り付けられることにより決定する。固定リング１２０がどの溝部６１３に嵌って固定した場合でも（つまりカバー６００を移動した場合でも）、Ｏリング１３０により防水性は確保されている。
【００５６】
本実施の形態では、カバー外周面６５２には３つの環状の溝部６１３（溝部ａ６１３ａ、溝部ｂ６１３ｂ、溝部ｃ６１３ｃ）が形成されているが、溝部６１３の数は３つに限られない。２つ、４つ、５つ、６つ以上でも構わない。
【００５７】
図６（ｂ）は、カバー６００を下方に移動中の状態を示す図である。
カバー本体６１０の溝部６１３（Ｖ溝）は、Ｖ字に角度がつけられている。Ｖ溝の開き角度は、カバー６００を移動させるときに固定リング１２０が広がりやすくなって、溝部６１３（つまり、溝部６１３と溝部６１３との間のカバー外周面６５２部分）を乗り越えやすいように緩やかな角度となっている。
【００５８】
緩やかな角度とは、例えば、図６（ｂ）のようにＶ溝の開き角度は１００度といったように、Ｖ溝の開き角度を９０度以上とする。Ｖ溝の開き角度を変化させることにより、カバー６００の保持荷重を変えることができる。
【００５９】
図６（ａ）の状態から徐々にカバー６００を下方に移動させると、溝部ｃ６１３ｃのＶ溝の上方の面（溝上面６１４）により固定リング１２０がＳ方向に押される。したがって、徐々にカバー６００を下方に移動させると、固定リング１２０は徐々に固定リング挿入溝１１１の外端部１１１ａ側へ押されて固定リング挿入溝１１１側へ収納されていく。
【００６０】
図６（ｂ）に示すように、固定リング挿入溝１１１がカバー外周面６５２により塞がれると、固定リング１２０は完全に固定リング挿入溝１１１に収納される。したがって、カバー６００はさらに下方に移動させることができる。
【００６１】
さらに、カバー６００を下方に移動させると、固定リング挿入溝１１１部分に溝部ｂ６１３ｂがさしかかる。すると、溝部ｂ６１３ｂの下方の面（溝下面６１５）により、固定リング１２０に加わっていた押力Ｓが徐々に解除される。カバー６００を溝部ｂ６１３ｂが固定リング挿入溝１１１に対向する位置まで移動すると、固定リング１２０に加わっていた押力Ｓが完全に解除され、固定リング１２０が溝部ｂ６１３ｂに嵌り、溝部ｂ６１３ｂの位置で固定される。カバー外周面６５２は下方に移動していても、Ｏリング１３０によりシールされた状態であるので、カバー６００は防水機能を確保したままカバーを上下に移動することができる。
【００６２】
ここで、溝部６１３のＶ溝の開き角度を９０度に近づけるとカバー６００の保持荷重は増す。すなわち、カバー６００を移動させるのに必要な力が大きくなる。また、溝部６１３のＶ溝の開き角度を１８０度に近づけると保持荷重は減る。すなわち、カバー６００を移動させるのに必要な力が小さくてすむ。
【００６３】
図７の（ａ）及び（ｂ）は、溝部６１３のＶ溝の開き角度と引き（押し）荷重と固定リング１２０に開き方向へ加わる荷重との関係を示す部分断面図である。
【００６４】
図７（ａ）に示すように、Ｖ溝の開き角度をより１８０度に近づけて、例えば１２０度にした場合には、下方へ（上方へ）移動させる時の引き（押し）荷重（Ｇ１）に対して固定リング１２０に開き方向へ加わる荷重（Ｍ１）が大きくなる。一方、図７（ｂ）に示すように、Ｖ溝の開き角度を９０度に近づけて、例えば９０度にした場合には、下方へ（上方へ）移動させる時の引き（押し）荷重（Ｇ１）に対して固定リング１２０に開き方向へ加わる荷重（Ｍ２）は小さくなる。これは、移動させる時の引き（押し）荷重に対して（値して）、９０度に近いと固定リング１２０に加わる開き方向への荷重が減り、１８０度に近いと固定リング１２０に加わる開き方向への荷重が増すことを意味する。
【００６５】
図８の（ａ）及び（ｂ）は、カバー６００の最終移動状態を示す部分断面図である。
【００６６】
図８（ａ）に示すように、カバー６００は、下方に移動させて、カバー外周面６５２の一番上方に形成されている溝部ａ６１３ａから固定リング１２０をはずすと、本体１１０から取り外せる構造である。つまり、固定リング１２０が溝部ａ６１３ａ（溝部ａ６１３ａの上方のカバー外周面６５２部分）を乗り越えるとカバー６００が本体部１００から取り外せる。
【００６７】
図６及び図７で示すように、溝部ｂ６１３ｂと溝部ｃ６１３ｃとは、カバー６００を上側へ移動させるときの荷重とカバー６００を下側に移動させるとき荷重とが、略同一荷重で移動できるように、溝上面６１４の角度と溝下面６１５の角度とが上下対照の角度となっていた。
【００６８】
しかし、一番上方に形成されている溝部ａ６１３ａは、固定リング１２０が外れるとカバー６００自体が外れるので、簡単に外れないようなＶ溝の形状に構成しても良い。
【００６９】
たとえば、図８（ａ）に示すように、溝部ａ６１３ａのＶ溝の開き角度は８０度であるが、中心線６１６と溝下面６１５との角度を５０度とし、中心線６１６と溝上面６１４との角度（中心線６１６基準の角度）を３０度とする。
【００７０】
中心線６１６と溝下面６１５との角度が５０度である場合は、カバー６００を上側へ移動させるときの荷重が、Ｖ溝の開き角度が１００度である場合と同じ荷重である。また、中心線６１６と溝上面６１４との角度が３０度である場合は、カバー６００を下側へ移動させるときの荷重が、Ｖ溝の開き角度が６０度である場合と同じ荷重である。つまり、カバー６００を下方に移動させようとする時の引き荷重に対して固定リング１２０に開き方向への加わる荷重はより小さくなる。したがって、移動させる時の引き荷重を大きくする必要があり、簡単に外れない構造とすることができる。
【００７１】
つまり、カバー６００を上側へ移動させるときは他の溝部と同一荷重で移動できるように他の溝と同角度となっているが、下側へカバー６００を移動させてカバー６００を本体部１００から外すときは簡単に取れないように角度を深くして外れにくい構造としている。角度を深くするとは、例えば、図８（ａ）のように中心線６１６基準の角度を３０度にするといったように、中心線６１６基準角度を４５度以下とするとよい。中心線６１６基準角度を小さくすればするほど固定リング１２０が開きづらくなる。
【００７２】
これは移動させる時の引き（押し）荷重に対して（値して）、Ｖ溝の開き角度が０度に近づくにつれて、固定リング１２０に加わる開き方向への荷重が無くなる（小さくなる）ためである。
【００７３】
カバー６００がほぼ外れない構造とする場合は、図８（ｂ）のように溝上面６１４と中心線６１６との角度を０度、すなわち、カバー外周面６５２に対して溝上面６１４を垂直（９０度）にすればよい。
【００７４】
図８（ｂ）に示すように、カバー外周面６５２の上端部には、カバー６００を最初に挿入する際に固定リング１２０を広げるための傾斜部６１３ｄが形成されている。しかし、一旦カバー６００を挿入してしまうと、溝部ａ６１３ａから固定リングがほぼ外れない構造となる。
【００７５】
また、固定リング１２０は、線径（固定リングの断面の径）を変化させることによりカバー６００の保持荷重を変化させることができる。固定リング１２０は、線径を太くすると保持荷重は増し、細くすると保持荷重は減る。
【００７６】
図９は、本実施の形態に係る照明器具１０００ａのカバーの変形例を示す図である。照明器具１０００ａでは、カバー本体６１０ａの下端部（つば部６７０）の外周に溝を形成し、滑り止め７００としている。滑り止め７００により、カバー６００ａを指で摘むスペースを確保して、カバー６００ａを持つ事を容易にした。これにより、カバー６００ａの移動時の作業性を向上させることができる。また、カバー６００ａに加工されている溝（滑り止め７００）は意匠としての役割もある。
【００７７】
また、上述した照明器具１０００，１０００ａでは、本体１１０の本体開口部１４０の近傍にＯリング１３０を備え、Ｏリング１３０よりも上方（奥側、光源側）に固定リング１２０を配置していた。これにより、Ｏリング１３０よりも上方が防水されるので、固定部（固定リング１２０部分）も確実に防水することができる。
【００７８】
しかし、例えば、本体１１０の本体開口部１４０の近傍に固定リング１２０を備え、固定リング１２０よりも上方（奥側、光源側）にＯリング１３０を配置してもよい。この場合、固定部（固定リング１２０部分）は防水することはできないが、ＬＥＤモジュールユニット５００や電源部２００等が収納されている部分は確実に防水することができる。
【００７９】
また、カバー６００が本体１１０に取り付けられた場合に、Ｏリング１３０に対応する（当接する）カバー外周面６５２部分には溝や凹凸があってはならない。これは、Ｏリング１３０に対応する（当接する）カバー外周面６５２部分に溝や凹凸があると、Ｏリング１３０がカバー外周面６５２に密着することができず防水機能が損なわれてしまうからである。したがって、カバー６００は、Ｏリング１３０に対応する（当接する）カバー外周面６５２部分に溝や凹凸が形成されないように形成することが好ましい。
【００８０】
本実施の形態に係る照明器具１０００，１０００ａによれば、天井面などに取り付けられ、下面に防水性カバー（カバー６００）が取り付けられている照明器具１０００，１０００ａ（例えば、ＬＥＤ照明器具）であって、照明器具１０００，１０００ａの防水性カバーにフレネルレンズ６３０を使用し、防水性カバーを移動させて配光を変化させることができるので、部品点数を増やすことなく、防水機能を確保しつつ光の配光調節をすることができる。
【００８１】
本実施の形態に係る照明器具１０００，１０００ａによれば、カバー天面部６６０に光を配光するフレネルレンズ６３０を備えるとともに複数の溝部６１３がカバー外周面６５２に環状に形成されたカバー６００（防水カバー）を備え、固定部（固定リング１２０）が本体内周面１１３に環状に形成され、複数の溝部６１３のいずれかと係合するので、防水機能を確保しつつカバー６００を移動させることができ、防水機能を確保しつつ光の配光調節をすることができる。
【００８２】
本実施の形態に係る照明器具１０００によれば、突出部（Ｏリング１３０）は、固定リング１２０と本体開口部１４０との間の本体内周面に形成されているので、固定リング部分も防水することができる。
【符号の説明】
【００８３】
１００  本体部、１１０  本体、１１１  固定リング挿入溝、１１１ａ  外端部、１１２  Ｏリング挿入溝、１１２ａ  外端部、１１３  本体内周面、１２０  固定リング、１２０ａ  押力Ｓ荷重の固定リング、１２１  カット部、１２２  固定リング外端部、１２３  固定リング内端部、１２４  固定リング中央部、１３０  Ｏリング、１４０  本体開口部、２００  電源部、２１０  電源取付板、２２０  ＬＥＤ電源ユニット、２３０  取付ネジ、２４０  電源端子、２５０  アースネジ、２６０  ナット、２７０  取付ネジ、３００  本体取付具、３１０  取付板、３２０  取付ネジ、３３０  取付ネジ固定ネジ、４００  フランジパッキン、５００  ＬＥＤモジュールユニット、５１０  ＬＥＤ基板取付板、５２０  ＬＥＤモジュール基板、５２１  基板、５２２  ＬＥＤパッケージ、５３０  反射部材、５４０  透明カバー、５５０  カバー押さえ、５６０  ツマミネジ、５７０  取付ネジ、６００，６００ａ  カバー、６１０，６１０ａ  カバー本体、６１１  反射面、６１２  外壁部、６１３  溝部、６１３ａ  溝部ａ、６１３ｂ  溝部ｂ、６１３ｃ  溝部ｃ、６１３ｄ  傾斜部、６１４  溝上面、６１５  溝下面、６１６  中心線、６２０  パッキン、６３０  フレネルレンズ、６４０  レンズ固定ネジ、６５０  側面部、６５２  カバー外周面、６６０  カバー天面部、６７０  つば部、７００  滑り止め、１０００，１０００ａ  照明器具。
【図１】
2012099292.tif 000003
【図２】
2012099292.tif 000004
【図３】
2012099292.tif 000005
【図４】
2012099292.tif 000006
【図５】
2012099292.tif 000007
【図６】
2012099292.tif 000008
【図７】
2012099292.tif 000009
【図８】
2012099292.tif 000010
【図９】
2012099292.tif 000011